(57)【要約】      （修正有）【課題】キッチンユニットに関し、本、皿、調理器具等の収納物をスリットに並列的に並べて収納することができるようにする。【解決手段】３個以上のコンポーネント２０〜７０の少なくとも１個の第１のコンポーネント２０には、キッチン設備８０を備える。残る少なくとも２個の第２、第３のコンポーネント３０，４０は、等しい高さを有する。第２、第３のコンポーネント３０，４０の上面には、第１のコンポーネント２０をまたがらせて配置する。第１〜第３のコンポーネント２０，３０，４０の少なくとも１個のコンポーネントには、当該１個のコンポーネントの上面、四方の側面の少なくとも一面に位置し、本９１、皿９２、調理器具９３等の収納物９０を並列的に並べて収納可能なスリット３２,４２を、収納物を差し込み可能な隙間を保って、一面の一つの辺に平行に複数個形成している。【選択図】図１
2012147809.tif 000002
【特許請求の範囲】
【請求項１】
３個以上のブロック形のコンポーネントからなるキッチンユニットであって、
前記３個以上のコンポーネントの少なくとも１個の第１のコンポーネントには、
キッチン設備を備え、
前記３個以上のコンポーネントの残る少なくとも２個の第２、第３のコンポーネントは、
等しい高さを有し、
前記第２、第３のコンポーネントの上面には、
前記第１のコンポーネントをまたがらせて配置し、
前記第１〜第３のコンポーネントの少なくとも１個のコンポーネントには、
当該１個のコンポーネントの上面、四方の側面の少なくとも一面に位置し、
本、皿、調理器具等の収納物を並列的に並べて収納可能なスリットを、前記収納物を差し込み可能な隙間を保って、前記一面の一つの辺に平行に複数個形成していることを特徴とするキッチンユニット。
【請求項２】
請求項１に記載のキッチンユニットであって、
前記第２、第３のコンポーネントの高さは、
腰掛け可能なものであり、
前記第２、第３のコンポーネントのいずれか一方には、
前記第１のコンポーネントをまたがらせて配置した際に、腰掛け可能なスペースを発生するように配置することを特徴とするキッチンユニット。
【請求項３】
請求項１又は請求項２に記載のキッチンユニットであって、
前記キッチン設備は、
シンク及びコンロであることを特徴とするキッチンユニット。
【請求項４】
請求項１〜３のいずれか１項に記載のキッチンユニットであって、
前記スリットは、
前記コンポーネントの高さ方向に沿って形成され、
当該コンポーネントの四方の前記側面に連続して延びるとともに、
前記本を差し込み可能な開口幅及び深さを有していることを特徴とするキッチンユニット。
【請求項５】
請求項１〜３のいずれか１項に記載のキッチンユニットであって、
前記コンポーネントは、
平面が長方形に形成され、
前記スリットは、
前記長方形の短辺と平行に形成され、
前記上面から当該上面に隣接して互いに背向する一対の前記側面に向かって連続して延びるとともに、
前記皿を立て掛け可能な幅及び深さを有していることを特徴とするキッチンユニット。
【請求項６】
請求項１〜３のいずれか１項に記載のキッチンユニットであって、
前記コンポーネントは、
平面が長方形に形成され、
前記スリットは、
前記長方形の長辺と平行に形成され、
前記上面から当該上面に隣接して互いに背向する一対の前記側面に向かって連続して延びるとともに、
前記皿を立て掛け可能な幅及び深さを有していることを特徴とするキッチンユニット。
【発明の詳細な説明】
【技術分野】
【０００１】
この発明は、キッチンユニットに関し、本、皿、調理器具等の収納物をスリットに並列的に並べて収納することができるようにしたものである。
【背景技術】
【０００２】
従来、箱形の複数のコンポーネントを積み重ねた家具が知られている（例えば特許文献１〜５参照）。
【先行技術文献】
【特許文献】
【０００３】
【特許文献１】実開63-13039号公報
【特許文献２】実用新案登録第3008717号公報
【特許文献３】特開2003-265254号公報
【特許文献４】実用新案登録第3099730号公報
【特許文献５】米国特許出願公開第2008/0042528号明細書
【発明の概要】
【発明が解決しようとする課題】
【０００４】
しかし、上記した従来の家具は、収納物を箱形のコンポーネントの内部に収納してしまうので、収納物が外部から見え難く、閲覧性に劣るという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、本、皿、調理器具等の収納物をスリットに並列的に並べて収納することができるようにしたものである。
このため、請求項１に記載の発明によれば、雑誌等を含む本を、気軽にスリットに差し込んで収納できるようにしたものである。また、請求項１に記載の発明によれば、皿、調理器具も、スリットに並列的に並べて収納することができるので、外部から見え易く、閲覧性にも優れ、皿、調理器具をテーブルの上に置くような感覚で、気軽にスリットに差し込んで収納できるようにしたものである。
（請求項２）
請求項２に記載の発明は、上記した請求項１に記載の発明の目的に加え、次の点を目的とする。
【０００６】
すなわち、請求項２に記載の発明は、腰掛けとして使用することができるようにしたものである。
（請求項３）
請求項３に記載の発明は、上記した請求項１又は請求項２に記載の発明の目的に加え、次の点を目的とする。
【０００７】
すなわち、請求項３に記載の発明は、シンク及びコンロを配置することができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、本を差し込んで収納することができるようにしたものである。
（請求項５）
請求項５に記載の発明は、上記した請求項１〜３のいずれか１項に記載の発明の目的に加え、次の点を目的とする。
【０００９】
すなわち、請求項５に記載の発明は、皿を並列的に立て掛けて収納することができるようにしたものである。
（請求項６）
請求項６に記載の発明は、上記した請求項１〜３のいずれか１項に記載の発明の目的に加え、次の点を目的とする。
【００１０】
すなわち、請求項６に記載の発明は、請求項５に記載の発明と同様に、皿を並列的に立て掛けて収納することができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第１に、例えば図１及び図２に示すように、３個以上のブロック形のコンポーネント(20〜70)からなるキッチンユニット(10)である。
第２に、３個以上のコンポーネント(20〜70)の少なくとも１個の第１のコンポーネント(20)には、例えば図３に示すように、キッチン設備(80)を備える。
第３に、３個以上のコンポーネント(20〜70)の残る少なくとも２個の第２、第３のコンポーネント（例えば第２、第３のコンポーネント30,40）は、例えば図１、図２及び図４に示すように、等しい高さを有する。
【００１３】
なお、第２、第３のコンポーネントとして、例えば図１、図２及び図４に図示した第２、第３のコンポーネント(30,40)を例示したが、これらに限定されず、図１、図５及び図６に図示した第４〜第６のコンポーネント(50〜70)を含めても良い。
第４に、第２、第３のコンポーネント（例えば第２、第３のコンポーネント30,40）の上面には、例えば図１に示すように、第１のコンポーネント(20)をまたがらせて配置する。
【００１４】
第５に、第１〜第３のコンポーネント(20〜40)の少なくとも１個のコンポーネント(20〜40)には、例えば図１及び図４〜６に示すように、当該１個のコンポーネント(20〜40)の上面、四方の側面の少なくとも一面に位置し、本(91)、皿(92)、調理器具(93)等の収納物(90)を並列的に並べて収納可能なスリット(22,32,42)を、収納物(90)を差し込み可能な隙間を保って、一面の一つの辺に平行に複数個形成している。
（請求項２）
請求項２に記載の発明は、上記した請求項１に記載の発明の特徴点に加え、次の点を特徴とする。
【００１５】
第１に、第２、第３のコンポーネント（例えば第２、第３のコンポーネント30,40）の高さは、例えば図１に示すように、腰掛け可能なものである。
第２に、第２、第３のコンポーネント（例えば第２、第３のコンポーネント30,40）のいずれか一方には、例えば図１に示すように、第１のコンポーネント(20)をまたがらせて配置した際に、腰掛け可能なスペースを発生するように配置する。
（請求項３）
請求項３に記載の発明は、上記した請求項１又は請求項２に記載の発明の特徴点に加え、次の点を特徴とする。
【００１６】
すなわち、キッチン設備(80)は、例えば図３に示すように、シンク(81)及びコンロ(83)である。
（請求項４）
請求項４に記載の発明は、上記した請求項１〜３のいずれか１項に記載の発明の特徴点に加え、次の点を特徴とする。
【００１７】
すなわち、スリット(22,32,42,52)は、例えば図１〜４に示すように、コンポーネント（例えば第１〜第４のコンポーネント20〜50）の高さ方向に沿って形成され、当該コンポーネント（例えば第１〜第４のコンポーネント20〜50）の四方の側面に連続して延びるとともに、本(91)を差し込み可能な開口幅及び深さを有している。
（請求項５）
請求項５に記載の発明は、上記した請求項１〜３のいずれか１項に記載の発明の特徴点に加え、次の点を特徴とする。
【００１８】
第１に、コンポーネント（例えば第５のコンポーネント60）は、例えば図５に示すように、平面が長方形に形成されている。
第２に、スリット(62)は、例えば図５に示すように、長方形の短辺と平行に形成され、上面から当該上面に隣接して互いに背向する一対の側面に向かって連続して延びるとともに、皿(92)を立て掛け可能な幅及び深さを有している。
（請求項６）
請求項６に記載の発明は、上記した請求項１〜３のいずれか１項に記載の発明の特徴点に加え、次の点を特徴とする。
【００１９】
第１に、コンポーネント（例えば第６のコンポーネント70）は、例えば図６に示すように、平面が長方形に形成されている。
第２に、スリット(72)は、例えば図６に示すように、長方形の長辺と平行に形成され、上面から当該上面に隣接して互いに背向する一対の側面に向かって連続して延びるとともに、皿(92)を立て掛け可能な幅及び深さを有している。
【発明の効果】
【００２０】
本発明は、以上のように構成されているので、以下に記載されるような効果を奏する。
（請求項１）
請求項１に記載の発明によれば、次のような効果を奏する。
すなわち、請求項１に記載の発明によれば、本、皿、調理器具等の収納物をスリットに並列的に並べて収納することができる。
【００２１】
このため、請求項１に記載の発明によれば、雑誌等を含む本を、気軽にスリットに差し込んで収納できる。また、請求項１に記載の発明によれば、皿、調理器具も、スリットに並列的に並べて収納することができるので、外部から見え易く、閲覧性にも優れ、皿、調理器具をテーブルの上に置くような感覚で、気軽にスリットに差し込んで収納できる。
（請求項２）
請求項２に記載の発明によれば、上記した請求項１に記載の発明の効果に加え、次のような効果を奏する。
【００２２】
すなわち、請求項２に記載の発明によれば、腰掛けとして使用することができる。
（請求項３）
請求項３に記載の発明によれば、上記した請求項１又は請求項２に記載の発明の効果に加え、次のような効果を奏する。
すなわち、請求項３に記載の発明によれば、シンク及びコンロを配置することができる。
（請求項４）
請求項４に記載の発明によれば、上記した請求項１〜３のいずれか１項に記載の発明の効果に加え、次のような効果を奏する。
【００２３】
すなわち、請求項４に記載の発明によれば、本を差し込んで収納することができる。
（請求項５）
請求項５に記載の発明によれば、上記した請求項１〜３のいずれか１項に記載の発明の効果に加え、次のような効果を奏する。
すなわち、請求項５に記載の発明によれば、皿を並列的に立て掛けて収納することができる。
（請求項６）
請求項６に記載の発明によれば、上記した請求項１〜３のいずれか１項に記載の発明の効果に加え、次のような効果を奏する。
【００２４】
すなわち、請求項６に記載の発明によれば、請求項５に記載の発明と同様に、皿を並列的に立て掛けて収納することができる。
【図面の簡単な説明】
【００２５】
【図１】キッチンユニットの斜視図である。
【図２】コンポーネントを積み上げた状態の斜視図である。
【図３】第１のコンポーネントの斜視図である。
【図４】第２のコンポーネントの斜視図である。
【図５】第５のコンポーネントの斜視図である。
【図６】第６のコンポーネントの斜視図である。
【発明を実施するための形態】
【００２６】
（キッチンユニット10）
図１及び図２中、10は、キッチンユニットであって、図１に示すように、ブロック形の複数のコンポーネント20〜70を積み重ねてキッチンに設置する。
キッチンユニット10は、大別すると、複数個、例えば６個の第１〜第６のコンポーネント20〜70から構成されている。
【００２７】
なお、コンポーネント20〜70の個数として、６個例示したが、これに限定されず、少なくとも３個あれば構成可能であり、図示しないが、４個、５個或いは７個以上のコンポーネントから構成しても良い。
（第１のコンポーネント20）
第１のコンポーネント20は、図１、図２及び図３に示すように、キッチン設備80が取り付けられる。
【００２８】
キッチン設備80としては、図３に示すように、例えばシンク81、蛇口82、及びいわゆるＩＨ方式のコンロ83（電磁調理器）を、第１のコンポーネント20の上面21に配置している。シンク81、蛇口82、コンロ83は、キッチンユニット10の設置時に、配管及び配管等の工事が行われる。
なお、キッチン設備80としては、シンク81、蛇口82及びコンロ83を例示したが、これらに限定されない。また、コンロ83として、ＩＨ方式を例示したが、これに限定されず、例えばニクロム線等を使用したいわゆる電気コンロや、ガスを使用したいわゆるガスコンロでも良い。
【００２９】
第１のコンポーネント20の四方の側面には、図３に示すように、本91、皿92、調理器具93等の収納物90を並列的に並べて収納可能なスリット22を、収納物90を差し込み可能な隙間を保って、平行に複数個形成している。
すなわち、スリット22は、図３に示すように、第１のコンポーネント20の高さ方向に沿って形成され、当該第１のコンポーネント20の四方の側面に連続して延びるとともに、本91を差し込み可能な開口幅及び深さを有している。
【００３０】
本91は、図３に示すように、開いた状態でも差し込めるし、図４に示すように、本91の厚みにより閉じた状態でも差し込める。
第１のコンポーネント20の底面には、図１及び図２に示すように、滑止部材100を固定している。
（第２〜第４のコンポーネント30〜50）
第２〜第４のコンポーネント30〜50は、図１、図２及び図４に示すように、キッチン設備80を省き、上面31を平らにしている他は、前述した第１のコンポーネント20と同様の構造並びに大きさに形成され、スリット32,42,52、並びに滑止部材100を備える。
【００３１】
第２〜第４のコンポーネント30〜50の高さは、図１に示すように、腰掛け可能なものである。第２〜第４のコンポーネント30〜50のいずれか一方には、図１に示すように、第１のコンポーネント20をまたがらせて配置した際に、腰掛け可能なスペースを発生するように配置する。
（第５のコンポーネント60）
第５のコンポーネント60は、図１、図２及び図５に示すように、スリット62の向きを異ならせている他は、全体として前述した第２〜第４のコンポーネント30〜50と同様の大きさに形成され、その底面に滑止部材100を固定している。
【００３２】
第５のコンポーネント60は、図５に示すように、平面が長方形に形成されている。
スリット62は、図５に示すように、長方形の短辺61a,61bと平行に形成され、上面61から当該上面61に隣接して互いに背向する一対の側面、図５において前面及び背面に向かって連続して延びるとともに、皿92を立て掛け可能な幅及び深さを有している。
（第６のコンポーネント70）
第６のコンポーネント70は、図１、図２及び図６に示すように、スリット72の向きを異ならせている他は、全体として前述した第５のコンポーネント60と同様の大きさに形成され、その底面に滑止部材100を固定している。
【００３３】
第６のコンポーネント60は、図６に示すように、図５に示す第５のコンポーネント60と同様に、平面が長方形に形成されている。
スリット72は、図６に示すように、長方形の長辺71c,71bd平行に形成され、上面71から当該上面71に隣接して互いに背向する一対の側面、図６において左右の側面に向かって連続して延びるとともに、皿92を立て掛け可能な幅及び深さを有している。
（キッチンユニット10の設置）
上記した構成を有するキッチンユニット10の設置方法について、図１及び図２を用いて説明する。
【００３４】
なお、第１〜第６のコンポーネント20〜70の配置は、自由であるが、図１を例に挙げて設置方法について説明する。
第１〜第６のコンポーネント20〜70は、図２に示すように、多段に積み重ねることが可能であり、この状態で保管したり、或いは搬送することも可能であり、保管・搬送スペースを省力化できる。
【００３５】
なお、図２において、第４のコンポーネント50を除いているが、第４のコンポーネント50を加えても良い。
第２〜第４のコンポーネント30〜50を、図１に示すように、それらの上面31に他のコンポーネント20,60,70をまたがらせて配置可能な間隔を保って、自由に設置する。
つぎに、隣接した第２〜第４のコンポーネント30〜50にまたがらせるようにして、それらの上面31に他のコンポーネント20,60,70を載置する。
【００３６】
隣接する第２、第３のコンポーネント30,40の上面31に、図１に示すように、キッチン設備80を有する第１のコンポーネント20を載置する。
このとき、第１のコンポーネント20は、図１に示すように、第２のコンポーネント30の上面31に、腰掛け可能なスペースを発生するように配置する。
第１のコンポーネント20は、第２、第３のコンポーネント30,40を利用して、シンク81、蛇口82、コンロ83の配管及び配管等を行う。
【００３７】
また、隣接する第３、第４のコンポーネント40,50の上面に、図１に示すように、第１のコンポーネント20と隣接させて、第５のコンポーネント60を載置する。
このとき、第１のコンポーネント20は、図１に示すように、第４のコンポーネント50の上面に、腰掛け可能なスペースを発生するように配置する。
最後に、隣接する第１のコンポーネント20と第４のコンポーネント50の上面に、図１に示すように、第６のコンポーネント70を載置する。
【００３８】
こうして、６個の第１〜第６のコンポーネント20〜70を設置して、図１に示すように、キッチンユニット10を構成する。
６個の第１〜第６のコンポーネント20〜70のスリット22,32,42,52,62,72には、図１及び図３〜６に示すように、本91、皿92、調理器具93の収納物90を差し込んで収納することができる。
【００３９】
また、第２のコンポーネント30や第４のコンポーネント50の腰掛け可能なスペースに、図１に示すように、腰掛けることができる。
【符号の説明】
【００４０】
10  キッチンユニット
20〜70  第１〜第６のコンポーネント
21,31,61,71  上面
61c〜61d,71d〜71d  第１〜第４辺
22,32,42,52,62,72  スリット
80  キッチン設備                  81  シンク
82  蛇口                          83  コンロ
90  収納物                        91  本
92  皿                            93  調理器具
100  滑止部材
【図１】
2012147809.tif 000003
【図２】
2012147809.tif 000004
【図３】
2012147809.tif 000005
【図４】
2012147809.tif 000006
【図５】
2012147809.tif 000007
【図６】
2012147809.tif 000008